(57)【要約】【課題】            従来の雛飾り用のぼんぼりは火袋部を製造するのに、その火袋部が紙や布で成形されており、熟練した技術が要求される手作業により行なわれていたため、生産効率が悪く、そのため価格が高騰してしまう点であり、また、火袋部が紙や布で成形されているため、衝撃に弱くすぐに破損してしまうという点である。【解決手段】        雛飾り用のぼんぼりは火袋部をポリエチレン等のプラスチックにより成形してあることとし、前記した火袋部はブロー成形により得られるものであることとし、前記した火袋部の外表面には高周波処理等で粗面が形成され、その粗面上に色彩を有する模様が描出されていることとし、前記した火袋部は頂面及び下面に透孔が形成され、少なくとも頂面透孔の開口縁には立ち上がり壁が形成されるとともに、前記火袋部の外壁面にフィットする弧状骨組を有する枠体が装着されていることとする。【選択図】          図１
2005228676.tif 000002
【特許請求の範囲】
【請求項１】
火袋部をポリエチレン等のプラスチックにより成形してあることを特徴とする雛飾り用のぼんぼり。
【請求項２】
前記した火袋部はブロー成形により得られるものであることを特徴とする請求項１に記載の雛飾り用のぼんぼり。
【請求項３】
前記した火袋部の外表面には高周波処理等で粗面が形成され、その粗面上に色彩を有する模様が描出されていることを特徴とする請求項１または請求項２に記載の雛飾り用のぼんぼり。
【請求項４】
前記した火袋部は頂面及び下面に透孔が形成され、少なくとも頂面透孔の開口縁には立ち上がり壁が形成されるとともに、前記火袋部の外壁面にフィットする弧状骨組を有する枠体が装着されていることを特徴とする請求項１、請求項２または請求項３に記載の雛飾り用のぼんぼり。
【請求項５】
前記した弧状骨組は二割された上下の支持環と一体に連結され、装着時には前記支持環に止着環が嵌め付けされることを特徴とする請求項４に記載の雛飾り用のぼんぼり。
【請求項６】
前記した火袋部の下面透孔からは光源として、ソケットに取り付けられた電球が内部へ挿入されることを特徴とする請求項１、請求項２、請求項３、請求項４または請求項５に記載の雛飾り用のぼんぼり。
【請求項７】
前記したソケットから下方に延長されたコードは中空パイプと台座とより成るスタンド部材の前記中空パイプ内に挿入され、台座に形成されたコード孔を介して電源等と接続されるコードと結線されることを特徴とする請求項６に記載の雛飾り用のぼんぼり。
【請求項８】
前記したスタンド部材の中空パイプの上端にはソケットの受け部と前記した火袋部の下方の止着環の受け座とを一体に有する受け部材が備えられていることを特徴とする請求項７に記載の雛飾り用のぼんぼり。
【発明の詳細な説明】
【技術分野】
【０００１】
本発明は雛人形と共に雛壇上に載置される雛飾り用のぼんぼりの改良に関する。
【背景技術】
【０００２】
従来より、我が国では桃の節句に雛人形を飾る伝統行事が行なわれている。この雛人形を飾る際、人形のほかにもぼんぼりを一緒に載置して飾ることが一般的であり、このぼんぼりには防火対策としてロウソク等の裸火に代えて電球を使用することが行なわれている。
【０００３】
また、ぼんぼりはスタンド部分と、そのスタンド部分の上部に電球が挿し入れられる火袋部とより構成され、火袋部はその外周に補強や外的美感のために枠体が備えられている。
【０００４】
即ち、従来の雛飾り用のぼんぼりの火袋部部分は図５として示すように構成されている。この図５中１は火袋部を示しており、この火袋部１の外周面には弧状に曲成された骨組２・２‥を有する枠体３が火袋部１に固着状態で設けられている。そして枠体３の上下端は支持環４・４で固着され下端の支持環４は内部を中空として電線を挿通できることとしたスタンドパイプ５の上端に被冠されている。
【０００５】
また、従来の火袋部１は紙や布等がその材料として用いられており、熟練した技術者の手作業によってその紙や布を骨組２・２‥の内側に張設し、接着剤によって固定することによって製品が得られていた。なお、火袋部１に描かれる模様や着色は予め施工されたものを用いて作業を行なうものとされていた。
【特許文献１】本発明に関し、出願人は先行する技術について調査を行なったが格別に類似すると思われる文献は発見できなかった。
【発明の開示】
【発明が解決しようとする課題】
【０００６】
本発明が解決しようとする課題は従来の雛飾り用のぼんぼりは火袋部を製造するのに、その火袋部が紙や布で成形されており、熟練した技術が要求される手作業により行なわれていたため、生産効率が悪く、そのため価格が高騰してしまう点であり、また、火袋部が紙や布で成形されているため、衝撃に弱くすぐに破損してしまうという点である。
【課題を解決するための手段】
【０００７】
この問題点を解決するために、本発明にかかる雛飾り用のぼんぼりは火袋部をポリエチレン等のプラスチックにより成形してあることを特徴とし、前記した火袋部はブロー成形により得られるものであることを特徴とし、前記した火袋部の外表面には高周波処理等で粗面が形成され、その粗面上に色彩を有する模様が描出されていることを特徴とし、前記した火袋部は頂面及び下面に透孔が形成され、少なくとも頂面透孔の開口縁には立ち上がり壁が形成されるとともに、前記火袋部の外壁面にフィットする弧状骨組を有する枠体が装着されていることを特徴としている。
【０００８】
また、本発明に係る雛飾り用のぼんぼりは前記した弧状骨組は二割された上下の支持環と一体に連結され、装着時には前記支持環に止着環が嵌め付けされることを特徴とし、前記した火袋部の下面透孔からは光源として、ソケットに取り付けられた電球が内部へ挿入されることを特徴とし、前記したソケットから下方に延長されたコードは中空パイプと台座とより成るスタンド部材の前記中空パイプ内に挿入され、台座に形成されたコード孔を介して電源等と接続されるコードと結線されることを特徴とし、前記したスタンド部材の中空パイプの上端にはソケットの受け部と前記した火袋部の下方の止着環の受け座とを一体に有する受け部材が備えられていることを特徴としている。
【発明の効果】
【０００９】
本発明に係る雛飾り用のぼんぼりは上記したように構成されている。そのため、格別な熟練性を必要とせず、誰もが火袋部を流れ作業で大量生産することが可能となり、従って製品価格を大幅にダウンさせることができる。また、火袋部をプラスチックで成形するため衝撃に強く、破損してしまうおそれも少なくなり、表面を粗面とすることで模様や色彩も自在に施すことができる。加えて、電球発熱に伴なう温度上昇も従来のものと変わらず安全性の点も確保されており、電球の点灯時には柔らかな光を周域に与えることができるものとなっている。
【発明を実施するための最良の形態】
【００１０】
本発明の目的を達成するために、実施例として示す図面のように構成することで実現した。
【実施例１】
【００１１】
次に、本発明の好ましい実施の一例を図１乃至図４を参照して説明する。図１は本発明を実施した雛飾り用のぼんぼりを示す全体の分解斜視図、図２は同じく上部の止着環を示す縦断面図、図３は同じく下部の止着環を示す縦断面図、図４は同じく全体の組立斜視図である。
【００１２】
これら図１乃至図４にあって図中１０は火袋部を示している。この火袋部１０はプラスチック、特にポリエチレンによって中空の一個体として成形されている。この火袋部１０を得るには型を用いたブロー成形処理がなされるが、この火袋部１０のサイズにより、そのブロー成形もブローブロー成形かプレスブロー成形のいずれかが採用される。
【００１３】
ブローブロー成形は比較的小型の特に上面開口が細口となるものに用いられ、作られたゴブを開口対応部に栓をした粗型に入れ、栓を外して一度エアを吹き込んで粗形を作り、それを仕上げ型に入れて、仕上げのエアを吹き込む作業となる。プレスブロー成形は比較的大型の上面開口が広口となるものに用いられ、粗型に入れられたゴブに対してピストンプレスによって粗形を作り、それを仕上げ型に入れて仕上げのエアの吹き込む作業となる。いずれの場合にも下面開口は切除等の手段で成形されることとなる。
【００１４】
この火袋部１０の上面開口１１の開口縁には環状に立ち上がり壁１２が一体成形されたものとなっている。また、この火袋部１０の外表面は高周波処理等によって粗面とされ、予め用意された図柄１３・１３‥が例えばレーザ処理等によって刻設され、スタンピングやスキージ処理等によってその図柄１３・１３‥に好みの色彩がインク等の着色剤によって彩色されて表面模様として描出されることになる。
【００１５】
また、図中１４は枠体を示している。この枠体１４は前記した火袋部１０の外表面にその内面をフィットさせる形状に曲成された弧状骨組１５・１５‥を上下方向に放射状に有しており、その弧状骨組１５・１５‥の上端は上部の支持環１６に、下端は下部の支持環１７に各々一体に連結されたものとなっている。
【００１６】
この支持環１６及び１７は各々その直径ラインに沿って二割されており、枠体１４全体を左右もしくは前後方向に分離できるものとしている。支持環１６及び１７の分割端面には一方側に受穴が他方側にその受穴に対して挿し込まれる挿し込み突子が形成されており、スナップイン係合で枠体１４全体を火袋部１０の外表面に当接させて一体化されるものとなっている。
【００１７】
この枠体１４の一体化の際、上部の支持環１６は前記した立ち上がり壁１２の外周面に当接されてグラ付きのないように位置決めされ、下部の支持環１７は火袋部１０の下面開口の縁部に位置されることとなる。
【００１８】
こうして枠体１４が火袋部１０の外周面にセットされると、上部の支持環１６には上部止着環１８が上方より嵌め付けられ、枠体１４を火袋部１０に対し位置決めする。この上部止着環１８には断面下向きコ字状をした嵌着溝１９が無端に形成されており、この嵌着溝１９が上部の支持環１６に対して嵌められることになり、この嵌着溝１９の外方壁の下方には弧状骨組１５・１５‥と対応する切り欠き２０・２０‥が所定のピッチで形成されている。
【００１９】
また、枠体１４の下部の支持環１７に対しては下部止着環２１が下方から嵌め付けられる。この下部止着環２１には断面上向きコ字状とした無端の嵌着溝２２が形成されており、この嵌着溝２２が下部の支持環１７に対し嵌められることとなる。また、この嵌着溝２２の外方壁の上方には弧状骨組１５・１５‥と対応する切り欠き２３・２３‥が所定のピッチで形成されており、内壁には、下部の支持環１７の内壁面に摺接して挿入され位置決め補強する突子２４・２４が略１２０度のピッチで一体に設けられている。
【００２０】
さらに、下部止着環２１が嵌め付けられた下部の支持環１７を通して、火袋部１０内にはソケット２５に嵌め付けられた光源としての電球、本実施例にあっては挿通を容易とするためのナツメ電球２６が配設される。
【００２１】
このソケット２５の下端からはコード２７が延設されており、このコード２７を上方から挿通してソケット２５はパイプ状とした受け部材２８に上方より嵌め付けられる。この受け部材２８の上面開口縁がソケット２５の環状段部２５ａを支持することとなる。
【００２２】
この受け部材２８の下方には、大径とした受け座２９を形成した嵌め付け部３０が一体に形成されている。受け座２９は枠体１４の下部止着環２１を載せて受けるものとなっており、嵌め付け部３０は中空状をしたスタンドパイプ３１の上端に嵌め付けられ、内部のリングフランジにより落下を防止されるようになっている。
【００２３】
前記したスタンドパイプ３１の下端には台座３２が一体に備えられており、コード２７はスタンドパイプ３１内を通り、台座３２の内部中空に至ることとなる。また、台座３２の側壁面にはコード孔３３が穿設されており、このコード孔３３から一端にプラグが備えられた電源コード３４が挿し込まれ、台座３２内でこの電源コード３４とソケット２５のコード２７が結線される。
【００２４】
また、雛飾り用のぼんぼりは通例一対が設置されるものであるから、前記した電源コード３４に代えて、他のぼんぼりと電気的に接続するコードが用いられる場合もある。
【産業上の利用可能性】
【００２５】
上記のような構成としてあることによって、火袋部１０はシンナー等の耐薬品性にも優れ、汚れ等も容易に取ることができ、火袋部１０と枠体１４とは固着していないのである程度火袋部１０は回転も可能となり、その分円周方向からの衝撃も緩和することができる。
【００２６】
また、本発明に係る雛飾り用のぼんぼりは火袋部がプラスチックで成形されていることによって、従来の化学繊維等で火袋部を作るよりも耐熱温度が高くなり、溶解、発火等の危険性がほとんどなく、安全性はむしろ高いものとなっている。
【図面の簡単な説明】
【００２７】
【図１】本発明を実施した雛飾り用のぼんぼりを示す全体の分解斜視図である。
【図２】上部の止着環を示す縦断面図である。
【図３】下部の止着環を示す縦断面図である。
【図４】全体の組立斜視図である。
【図５】従来例を示す火袋部の斜視図である。
【符号の説明】
【００２８】
１０    火袋部
１１    上面開口
１２    立ち上がり壁
１３    図柄
１４    枠体
１５    弧状骨組
１６    上部の支持環
１７    下部の支持環
１８    上部止着環
１９    嵌着溝
２０    切り欠き
２１    下部止着環
２２    嵌着溝
２３    切り欠き
２４    突子
２５    ソケット
２６    ナツメ電球
２７    コード
２８    受け部材
２９    受け座
３０    嵌め付け部
３１    スタンドパイプ
３２    台座
３３    コード孔
３４    電源コード
【図１】
2005228676.tif 000003
【図２】
2005228676.tif 000004
【図３】
2005228676.tif 000005
【図４】
2005228676.tif 000006
【図５】
2005228676.tif 000007